(57)【要約】【課題】側面に安全ボタンを設けながら、デザイン性を損なうことのない温度調整用ハンドルを備えた湯水混合水栓装置を提供する。【解決手段】本発明は、温度調整用ハンドル(10)を備えた湯水混合水栓装置(1)であって、湯水混合水栓本体(2)と、回動可能な温調操作部(4a)を備えた湯水混合ユニット(4)と、を有し、温度調整用ハンドルは高温領域への回動が規制されており、金属製の外装部材(16)と、高温領域への回動の規制を解除する安全ボタン(14)と、温調操作部と結合される結合部(18d)、及び外装部材の側面に設けられた安全ボタン開口(16f)の内側に突出する側面突出部(18e)を備え、外装部材の内側に取り付けられる樹脂製の内側機構部材(18)と、を有し、外装部材の内周面と、内側機構部材の外周面との間には、少なくとも安全ボタンの反対側の領域において、断熱用の隙間(24)が設けられていることを特徴としている。【選択図】図２
2018090956.tif 000002
【特許請求の範囲】
【請求項１】
温度調整用ハンドルを備えた湯水混合水栓装置であって、
湯水混合水栓本体と、
この湯水混合水栓本体内に収容され、吐出される湯水の温度を調整するための回動可能な温調操作部を備えた湯水混合ユニットと、を有し、
上記温度調整用ハンドルは、上記温調操作部を回動操作するために上記温調操作部に取り付けられると共に、高温領域への回動が規制されており、
さらに、上記温度調整用ハンドルは、
上記温調操作部の周囲に配置される側面、及び端面を備えた金属製の外装部材と、
この外装部材の側面に配置され、上記温度調整用ハンドルの高温領域への回動の規制を解除する安全ボタンと、
上記温調操作部と結合される結合部、及び上記安全ボタンを外部に露出させるために上記外装部材の上記側面に設けられた安全ボタン開口の内側に突出する側面突出部を備え、上記外装部材の内側に取り付けられる樹脂製の内側機構部材と、を有し、
上記外装部材の内周面と、上記内側機構部材の外周面との間には、少なくとも上記安全ボタンの反対側の領域において、断熱用の隙間が設けられていることを特徴とする湯水混合水栓装置。
【請求項２】
上記外装部材及び上記内側機構部材は略円筒形に構成され、上記外装部材は上記内側機構部材に、それらの中心軸線がずれた状態で固定され、これにより上記断熱用の隙間が形成される請求項１記載の湯水混合水栓装置。
【請求項３】
上記外装部材は外側回転規制部を備え、上記内側機構部材は内側回転規制部を備え、上記外側回転規制部と上記内側回転規制部が互いに係合することにより、上記外装部材の上記内側機構部材に対する回転が規制される請求項１記載の湯水混合水栓装置。
【請求項４】
上記内側回転規制部は中空の突起から構成され、上記外側回転規制部は上記中空の突起を受け入れる受入開口により構成され、上記中空の突起の内部には、上記安全ボタンを付勢するための板ばねが収容されている請求項３記載の湯水混合水栓装置。
【請求項５】
上記湯水混合水栓本体は、壁面に埋め込まれている請求項１記載の湯水混合水栓装置。
【請求項６】
上記内側機構部材の上記側面突出部は、上記安全ボタンを取り囲み、上記安全ボタンをガイドするように構成され、上記外装部材の上記安全ボタン開口と上記安全ボタンとの間に介在する請求項１記載の湯水混合水栓装置。
【請求項７】
湯水混合水栓装置の製造方法であって、
上記湯水混合水栓装置は、吐出される湯水の温度を調整するための回動可能な温調操作部を備えた湯水混合ユニットと、上記温調操作部に取り付けられると共に、高温領域への回動が規制された温度調整用ハンドルと、を有し、
上記温度調整用ハンドルは、金属製の外装部材と、上記温度調整用ハンドルの高温領域への回動の規制を解除する安全ボタンと、上記外装部材の内側に取り付けられる樹脂製の内側機構部材と、を有し、
上記製造方法は、
上記内側機構部材を、上記温度調整用ハンドルの回動軸線方向に移動させ、上記外装部材の中に挿入するステップと、
上記内側機構部材を上記回動軸線に直交する方向に移動させ、上記内側機構部材の側面突出部を、上記外装部材の側面に設けられた安全ボタン開口の中に挿入し、これにより、上記外装部材と上記内側機構部材の間の、上記安全ボタンの反対側の領域に断熱用の隙間を設けるステップと、
上記安全ボタンを、上記安全ボタン開口から露出するように、上記内側機構部材に取り付けるステップと、
組み立てられた上記温度調整用ハンドルを、上記湯水混合ユニットの上記温調操作部に取り付けるステップと、
を有することを特徴とする湯水混合水栓装置の製造方法。
【発明の詳細な説明】
【技術分野】
【０００１】
本発明は、湯水混合水栓装置、及びその製造方法に関し、特に、温度調整用ハンドルを備えた湯水混合水栓装置及びその製造方法に関する。
【背景技術】
【０００２】
特開２００８−１３８７３４号公報（特許文献１）には、湯水混合水栓に取り付けて使用される回転ハンドル装置が記載されている。図７に示すように、この回転ハンドル装置１００は、湯水混合水栓本体１０２に取り付けて使用され、回動操作することにより吐出される湯水の温度が調節できるように構成されている。また、この湯水混合水栓は、高温の湯水が不意に吐出されるのを防止するために、回転ハンドル装置１００の高温領域への回動が規制されている。４０℃以上の湯水を吐出させる場合には、回転ハンドル装置１００の側面に設けられた安全ボタン１０４を押して規制を解除しながら、回転ハンドル装置１００を高温領域に回動させる。回転ハンドル装置１００を回動させることにより、湯水混合水栓本体１０２に内蔵された湯水混合ユニットのスピンドル（図示せず）が回動され、吐出される湯水の温度が調節される。
【先行技術文献】
【特許文献】
【０００３】
【特許文献１】特開２００８−１３８７３４号公報
【発明の概要】
【発明が解決しようとする課題】
【０００４】
しかしながら、回転ハンドル装置１００の把持部１０６を金属で形成した場合、湯水混合ユニットのスピンドル（図示せず）の熱が把持部１０６に伝わり、把持部１０６が高温になる虞がある。このため、特許文献１記載の回転ハンドル装置１００では、把持部１０６の内側に樹脂製の断熱部品１０８が嵌め込まれており、スピンドル（図示せず）をこの断熱部品１０８に結合することにより、スピンドルの熱が把持部１０６に直接伝わらないようにしている。一方、安全ボタン１０４は断熱部品１０８の内側に取り付けられており、その頂面は、概ね円筒形の把持部１０６の側面から突出するように延びている。即ち、安全ボタン１０４は、断熱部品１０８の内部から、断熱部品１０８の外側に取り付けられた把持部１０６の外側まで半径方向に延びている。
【０００５】
従って、安全ボタン１０４を把持部１０６の側面から突出するように設けるには、図７に示すように、把持部１０６の側面に切欠１１０を設けておき、この切欠１１０から断熱部品１０８の一部を露出させ、断熱部品１０８の露出部分から安全ボタン１０４を突出させる必要がある。このように、把持部１０６が金属で形成された回転ハンドル装置１００に安全ボタン１０４を設けるには、金属の把持部に大きな切欠１１０を設ける必要がある。このため、高級感を与えるべく、把持部１０６を金属で形成した場合でも、大きな切欠１１０が回転ハンドル装置１００のデザイン上の制約となり、回転ハンドルの高級感を損なう原因となっていた。
【０００６】
従って、本発明は、側面に安全ボタンを設けながら、デザイン性を損なうことのない温度調整用ハンドルを備えた湯水混合水栓装置、及びその製造方法を提供することを目的としている。
【課題を解決するための手段】
【０００７】
上述した課題を解決するために、本発明は、温度調整用ハンドルを備えた湯水混合水栓装置であって、湯水混合水栓本体と、この湯水混合水栓本体内に収容され、吐出される湯水の温度を調整するための回動可能な温調操作部を備えた湯水混合ユニットと、を有し、温度調整用ハンドルは、温調操作部を回動操作するために温調操作部に取り付けられると共に、高温領域への回動が規制されており、さらに、温度調整用ハンドルは、温調操作部の周囲に配置される側面、及び端面を備えた金属製の外装部材と、この外装部材の側面に配置され、温度調整用ハンドルの高温領域への回動の規制を解除する安全ボタンと、温調操作部と結合される結合部、及び安全ボタンを外部に露出させるために外装部材の側面に設けられた安全ボタン開口の内側に突出する側面突出部を備え、外装部材の内側に取り付けられる樹脂製の内側機構部材と、を有し、外装部材の内周面と、内側機構部材の外周面との間には、少なくとも安全ボタンの反対側の領域において、断熱用の隙間が設けられていることを特徴としている。
【０００８】
このように構成された本発明においては、湯水混合水栓本体に収容された湯水混合ユニットの温調操作部に温度調整用ハンドルが取り付けられている。温度調整用ハンドルは、金属製の外装部材と、この外装部材の内側に取り付けられる樹脂製の内側機構部材と、を有しており、外装部材の側面に温度調整用ハンドルの高温領域への回動の規制を解除する安全ボタンが配置されている。また、内側機構部材には、湯水混合ユニットの温調操作部と結合するための結合部が備えられている。さらに、外装部材の側面には、安全ボタンを外部に露出させるための安全ボタン開口が設けられており、この安全ボタン開口の内側に内側機構部材の側面突出部が突出する。一方、外装部材の内周面と、内側機構部材の外周面との間には、少なくとも安全ボタンの反対側の領域において、断熱用の隙間が設けられている。
【０００９】
このように構成された本発明によれば、温度調整用ハンドルの外装部材の内側に、樹脂製の内側機構部材が取り付けられ、この内側機構部材に湯水混合ユニットの温調操作部が結合されるので、温調操作部の熱が金属製の外装部材に直接伝わることがなく、外装部材の温度上昇を抑制することができる。これにより、温度調整用ハンドルを把持する使用者に、外装部材の過熱による不快感を与えることがなく、使い勝手の良い湯水混合水栓装置を提供することができる。また、外装部材の内周面と、内側機構部材の外周面との間の、安全ボタンの反対側の領域に断熱用の隙間が設けられている。即ち、温度調整用ハンドルの組み立て時において、内側機構部材を外装部材の中に挿入した後、断熱用の隙間が形成されるように、内側機構部材を外装部材側面の安全ボタン開口の方に移動させ、安全ボタン開口の内側に内側機構部材の側面突出部を突出させる。これにより、外装部材には安全ボタン開口を設けるだけで、安全ボタン開口の内側に内側機構部材の側面突出部を突出させることができ、外装部材に大きな切欠を設けることなく温度調整用ハンドルの側面に安全ボタンを設けることが可能になる。この結果、側面に安全ボタンを設けながら、デザイン性を損なうことのない温度調整用ハンドルを備えた湯水混合水栓装置を提供することができる。
【００１０】
本発明において、好ましくは、外装部材及び内側機構部材は略円筒形に構成され、外装部材は内側機構部材に、それらの中心軸線がずれた状態で固定され、これにより断熱用の隙間が形成される。
【００１１】
このように構成された本発明によれば、外装部材と内側機構部材は、それらの中心軸線がずれた状態で固定されるので、外装部材及び内側機構部材を略円筒形の単純な構造に形成しながら、外装部材と内側機構部材の間に断熱用の隙間を形成することができる。
【００１２】
本発明において、好ましくは、外装部材は外側回転規制部を備え、内側機構部材は内側回転規制部を備え、外側回転規制部と内側回転規制部が互いに係合することにより、外装部材の内側機構部材に対する回転が規制される。
【００１３】
このように構成された本発明によれば、外側回転規制部と内側回転規制部の係合により、外装部材の内側機構部材に対する回転が規制されるので、外装部材が内側機構部材に対して空回りして、温調操作部が回動操作できなくなるのを防止することができる。
【００１４】
本発明において、好ましくは、内側回転規制部は中空の突起から構成され、外側回転規制部は中空の突起を受け入れる受入開口により構成され、中空の突起の内部には、安全ボタンを付勢するための板ばねが収容されている。
【００１５】
このように構成された本発明によれば、内側回転規制部が中空の突起から構成され、その内部には、安全ボタンを付勢するための板ばねが収容されるので、安全ボタン付勢用の板ばねをコンパクトに収容することができ、十分な大きさの板ばねを採用しながら、温度調整用ハンドルを小型化することができる。
【００１６】
本発明において、好ましくは、湯水混合水栓本体は、壁面に埋め込まれている。
このように構成された本発明によれば、湯水混合水栓本体が壁面に埋め込まれているので、湯水混合水栓本体表面の温度上昇を防止するために、湯水混合水栓本体の外周側に断熱用の通水路を設ける必要がなく、また、壁面から突出した湯水混合ユニットの温調操作部に断熱性のある温度調整用ハンドルが取り付けられているので、使い勝手の良いコンパクトな湯水混合水栓装置を提供することができる。
【００１７】
本発明において、好ましくは、内側機構部材の側面突出部は、安全ボタンを取り囲み、安全ボタンをガイドするように構成され、外装部材の安全ボタン開口と安全ボタンとの間に介在する。
【００１８】
このように構成された本発明によれば、内側機構部材の側面突出部が安全ボタンを取り囲み、安全ボタンをガイドしているので、安全ボタンの動きが円滑になり、操作性の良い湯水混合水栓装置を提供することができる。また、外装部材の安全ボタン開口と、安全ボタンとの間に側面突出部が介在するので、金属製の外装部材が部分的に酸化され、粒状の酸化物が生成された場合でも、酸化物が外装部材と安全ボタンとの間に挟まり、安全ボタンの操作性が悪化するのを防止することができる。
【００１９】
また、本発明は、湯水混合水栓装置の製造方法であって、湯水混合水栓装置は、吐出される湯水の温度を調整するための回動可能な温調操作部を備えた湯水混合ユニットと、温調操作部に取り付けられると共に、高温領域への回動が規制された温度調整用ハンドルと、を有し、温度調整用ハンドルは、金属製の外装部材と、温度調整用ハンドルの高温領域への回動の規制を解除する安全ボタンと、外装部材の内側に取り付けられる樹脂製の内側機構部材と、を有し、製造方法は、内側機構部材を、温度調整用ハンドルの回動軸線方向に移動させ、外装部材の中に挿入するステップと、内側機構部材を回動軸線に直交する方向に移動させ、内側機構部材の側面突出部を、外装部材の側面に設けられた安全ボタン開口の中に挿入し、これにより、外装部材と内側機構部材の間の、安全ボタンの反対側の領域に断熱用の隙間を設けるステップと、安全ボタンを、安全ボタン開口から露出するように、内側機構部材に取り付けるステップと、組み立てられた温度調整用ハンドルを、湯水混合ユニットの温調操作部に取り付けるステップと、を有することを特徴としている。
【発明の効果】
【００２０】
本発明によれば、側面に安全ボタンを設けながら、デザイン性を損なうことのない温度調整用ハンドルを備えた湯水混合水栓装置、及びその製造方法を提供することができる。
【図面の簡単な説明】
【００２１】
【図１】本発明の実施形態による湯水混合水栓装置全体を示す斜視図である。
【図２】本発明の実施形態による湯水混合水栓装置に備えられている温度調整用ハンドルの全断面図である。
【図３】本発明の実施形態による湯水混合水栓装置に備えられている温度調整用ハンドルの外装部材の斜視図である。
【図４】本発明の実施形態による湯水混合水栓装置に備えられている温度調整用ハンドルの内側機構部材の斜視図である。
【図５Ａ】本発明の実施形態による湯水混合水栓装置に備えられている温度調整用ハンドルの組み立て手順を示す図である。
【図５Ｂ】本発明の実施形態による湯水混合水栓装置に備えられている温度調整用ハンドルの組み立て手順を示す図である。
【図５Ｃ】本発明の実施形態による湯水混合水栓装置に備えられている温度調整用ハンドルの組み立て手順を示す図である。
【図６】本発明の実施形態による湯水混合水栓装置に備えられている温度調整用ハンドルの背面図である。
【図７】特許文献１に記載されている回転ハンドル装置を示す図である。
【発明を実施するための形態】
【００２２】
次に、添付図面を参照して、本発明の好ましい実施形態による湯水混合水栓装置を説明する。
図１は、本発明の実施形態による湯水混合水栓装置全体を示す斜視図である。
図１に示すように、本実施形態の湯水混合水栓装置１は、湯水混合水栓本体２と、この湯水混合水栓本体２内に収容された湯水混合ユニット４と、湯水混合水栓本体２内に収容された開閉バルブ６と、シャワー吐水を行うシャワーヘッド８ａと、開閉バルブ６の下方に設けられたスパウト８ｂと、吐出される湯水の温度を調整するための温度調整用ハンドル１０と、シャワーヘッド８ａ及びスパウト８ｂからの吐水、停止を切り換えるための吐出／停止ハンドル１２と、を有する。
【００２３】
図１に示すように、本実施形態の湯水混合水栓装置１は、その湯水混合水栓本体２が壁面Ｗの背面側に埋め込まれており、埋め込まれた湯水混合水栓本体２の内部に湯水混合ユニット４及び開閉バルブ６が収容されている。
湯水混合ユニット４は、供給された湯及び水を所定の割合で混合し、吐出される湯水の温度を調整するように構成されている。また、湯水混合ユニット４は、回動可能な温調操作部であるスピンドル４ａを備えており、このスピンドル４ａを回動操作することにより、吐出される湯水の温度を所望の温度に設定することができる。なお、本実施形態においては、湯水混合ユニット４として、形状記憶合金製のコイルバネを使用したサーモ水栓を使用している。
【００２４】
開閉バルブ６は、湯水混合ユニット４において温度調整された湯水の、シャワーヘッド８ａからの吐出、スパウト８ｂからの吐出、及び停止を切り換えるように構成されている。なお、本実施形態においては、開閉バルブ６として、円筒形の弁体（図示せず）をシリンダー（図示せず）の内部で回動させるロータリー式の切り換えバルブを使用している。
【００２５】
このように構成された本実施形態の湯水混合水栓装置１では、まず、温度調整用ハンドル１０を回動させることにより、温度調整用ハンドル１０に接続されている湯水混合ユニット４のスピンドル４ａを回動させ、吐出される湯水の温度を設定する。次に、吐出／停止ハンドル１２を回動させることにより、吐出／停止ハンドル１２に接続されている開閉バルブ６の弁体（図示せず）を開弁させ、湯水混合ユニット４において温度調整された湯水を、シャワーヘッド８ａ又はスパウト８ｂから吐出させることができる。なお、本実施形態においては、吐出／停止ハンドル１２を右側に回動させることによりシャワーヘッド８ａからの吐水を、左側に回動させることによりスパウト８ｂからの吐水を行うことができる。また、本実施形態においては、温度調整用ハンドル１０には安全ボタン１４が設けられており、この安全ボタン１４により、温度調整用ハンドル１０の高温領域への回動が規制されている。即ち、温度調整用ハンドル１０を４０℃以上の温度設定領域まで回動させるには、安全ボタン１４を押すことにより回動の規制を解除し、安全ボタン１４を押した状態で温度調整用ハンドル１０を高温領域まで回動させる。
【００２６】
次に、図２乃至図６を参照して、本実施形態の湯水混合水栓装置１に備えられている温度調整用ハンドルの構成を説明する。
図２は、温度調整用ハンドルの全断面図である。図３は、温度調整用ハンドルの外装部材の斜視図である。図４は、温度調整用ハンドルの内側機構部材の斜視図である。図５Ａ〜５Ｃは、温度調整用ハンドルの組み立て手順を示す図である。図６は、外装部材と内側機構部材の位置関係を示す、温度調整用ハンドルの背面図である。
【００２７】
図２に示すように、温度調整用ハンドル１０は、外装部材１６と、この外装部材１６の内側に取り付けられた内側機構部材１８と、外装部材１６の側面から突出するように設けられた安全ボタン１４と、安全ボタン１４を付勢する板ばね２０と、内側機構部材１８に外装部材１６を固定する３本のビス２２と、を有する。上述したように、温度調整用ハンドル１０は、湯水混合ユニット４のスピンドル４ａに取り付けられ、スピンドル４ａを回動させることにより、温度設定を行うように構成されている。
【００２８】
外装部材１６は、図２及び図３に示すように、概ね円筒形の金属製の部材であり、温度調整用ハンドル１０の外観を構成している。円筒形の外装部材１６は、湯水混合ユニット４のスピンドル４ａの周囲に配置される側面１６ａと、スピンドル４ａに直交する方向に向けられた端面１６ｂと、を有する。さらに、外装部材１６の側面１６ａには、半径方向に突出する円柱形の把持突起１６ｃが設けられており、使用者が把持しやすいようになっている。また、外装部材１６の端面１６ｂ中央には中央円形穴１６ｄが形成され、この中央円形穴１６ｄの上方には、外側回転規制部である概ね矩形の受入開口１６ｅが設けられている。さらに、外装部材１６の側面１６ａの、把持突起１６ｃの反対側には、安全ボタン１４を突出させるための、概ね円形の安全ボタン開口１６ｆが設けられている。
【００２９】
内側機構部材１８は、図２及び図４に示すように、概ね円筒形の外筒部１８ａ（図４）及び内筒部１８ｂ（図２）を備えた２重の筒状に形成された樹脂製の部材であり、外装部材１６の内壁面に沿うように、外装部材１６の内側に取り付けられる。即ち、内側機構部材１８は、外装部材１６の内側に、外装部材１６の中央円形穴１６ｄと、内側機構部材１８の内筒部１８ｂが整合するように取り付けられる（図２）。なお、内筒部１８ｂの中心軸線Ａ１は、内側機構部材１８全体の中心軸線Ａ０（外筒部１８ａの中心軸線と一致）に対して僅かに偏心するように構成されている（図５Ａ）。
【００３０】
また、内側機構部材１８の先端面には軸線方向に突出する、内側回転規制部である中空の突起１８ｃ（図４）が設けられている。この中空の突起１８ｃは概ね矩形断面の突起であり、この突起が外装部材１６の受入開口１６ｅに受け入れられることにより、外装部材１６に対する内側機構部材１８の回転が規制される。即ち、使用者が温度調整用ハンドル１０の外装部材１６を把持して回動させたとき、外装部材１６の中で内側機構部材１８が空回りしないようになっている。
【００３１】
さらに、内側機構部材１８の先端面には３つの雌ねじ穴１８ｆが設けられている。これらの雌ねじ穴１８ｆは、外装部材１６に設けられた３つの丸穴１６ｇ（図３）と整合する位置に設けられており、これらの丸穴１６ｇを通して３本のビス２２を各雌ねじ穴１８ｆにねじ込むことにより（図２）、外装部材１６が内側機構部材１８に固定される。
【００３２】
さらに、図２に示すように、内側機構部材１８の内筒部１８ｂの後端には、湯水混合ユニット４のスピンドル４ａと結合される結合部１８ｄが設けられている。また、この結合部１８ｄの中心軸線は、内筒部１８ｂの中心軸線Ａ１と一致している。本実施形態においては、スピンドル４ａの先端部及び結合部１８ｄは、夫々、スプライン軸及びスプライン軸受けに加工されている。このため、結合部１８ｄがスピンドル４ａの先端部を受け入れることにより、内側機構部材１８が湯水混合ユニット４のスピンドル４ａに結合され、内側機構部材１８の回動に伴ってスピンドル４ａが回動される。この際、温度調整用ハンドル１０は、スピンドル４ａの回動軸線と一致している内筒部１８ｂ（結合部１８ｄ）の中心軸線Ａ１を中心に回動される。また、湯水混合ユニット４のスピンドル４ａと金属製の外装部材１６が、樹脂製の内側機構部材１８を介して結合されているので、スピンドル４ａの熱が金属製の外装部材１６に直接伝わることがなく、使用者によって把持される外装部材１６の温度上昇を抑制することができる。
【００３３】
また、内側機構部材１８の外筒部１８ａの外周側面には、外方に突出した円環状の側面突出部１８ｅ（図４）が形成されており、この側面突出部１８ｅ内側の円形の開口を通して安全ボタン１４が外方に突出する。この側面突出部１８ｅは、内側機構部材１８が外装部材１６の内側に組み付けられたとき、外装部材１６の側面１６ａに形成された安全ボタン開口１６ｆの内側に挿入されるように形成されている（図２）。このように、側面突出部１８ｅが外装部材１６の安全ボタン開口１６ｆの中に挿入された状態では、図２に示すように、側面突出部１８ｅの先端と外装部材１６の外周面はほぼ面一となる。また、図４に示すように、側面突出部１８ｅは、内側機構部材１８の外周面上の、中空の突起１８ｃと整合する位置に位置決めされている。
【００３４】
安全ボタン１４は、外装部材１６の側面１６ａから突出するように配置された押しボタンである。図２に示すように、安全ボタン１４は、概ね円柱形の押圧部１４ａと、この押圧部１４ａの基端に設けられた板状のベース部１４ｂとを有する。押圧部１４ａは、内側機構部材１８の外筒部１８ａの内側から外装部材１６の外側へ、半径方向外方に延びるように配置される。即ち、押圧部１４ａは、内側機構部材１８の側面突出部１８ｅ内側に設けられた円形の開口を通って外装部材１６の外側へ延びる。換言すれば、側面突出部１８ｅは、安全ボタン１４の押圧部１４ａを取り囲み、安全ボタン１４の半径方向の摺動をガイドする。また、側面突出部１８ｅは、外装部材１６の安全ボタン開口１６ｆの内側に挿入されているので、安全ボタン開口１６ｆの縁と安全ボタン１４の押圧部１４ａとの間には、側面突出部１８ｅが介在することとなる。
【００３５】
また、ベース部１４ｂは、押圧部１４ａの基端に設けられ、内側機構部材１８の外筒部１８ａの内壁面に沿って配置される。一方、内側機構部材１８の中空の突起１８ｃの内部には、概ねＬ字型に折り曲げられた金属製の薄板からなる板ばね２０が配置されている（図２）。この板ばね２０は、内側機構部材１８の外筒部１８ａの内側に配置されたベース部１４ｂを、温度調整用ハンドル１０の半径方向外方に付勢する。即ち、安全ボタン１４のベース部１４ｂは、板ばね２０の付勢力によって、内側機構部材１８の外筒部１８ａの内壁面に押し付けられている。これにより、使用者が押圧部１４ａを押圧操作すると、安全ボタン１４は、板ばね２０の付勢力に抗して、温度調整用ハンドル１０の半径方向内方に移動される。
【００３６】
次に、図５Ａ乃至図５Ｃ、及び図６を新たに参照して、本発明の実施形態による湯水混合水栓装置１の製造方法を、これに備えられている温度調整用ハンドル１０の組み立て手順を中心に説明する。
【００３７】
まず、図５Ａに示すように、内側機構部材１８を温度調整用ハンドル１０が回動される回動軸線の方向（中心軸線Ａ０、Ａ１と平行な方向：図５Ａにおける右方向）に移動させ、内側機構部材１８を円筒形の外装部材１６の中に挿入する。これにより、図５Ｂに示すように、内側機構部材１８先端の中空の突起１８ｃが、外装部材１６の端面１６ｂの受入開口１６ｅの中に挿入される。なお、内側機構部材１８の外筒部１８ａには外方に突出する側面突出部１８ｅが設けられているので、内側機構部材１８は、側面突出部１８ｅが外装部材１６の内壁面と干渉しない位置で挿入される。このため、この位置においては、内側機構部材１８の中心軸線Ａ０と外装部材１６の中心軸線Ａ２（中央円形穴１６ｄの中心軸線と一致している）が概ね整合しており、結合部１８ｄの中心軸線Ａ１と外装部材１６の中心軸線Ａ２は整合していない。即ち、温度調整用ハンドル１０の組み立て完了後においては、結合部１８ｄの中心軸線Ａ１及び外装部材１６の中心軸線Ａ２は、両方とも温度調整用ハンドル１０が回動する中心軸線と一致するが、図５Ｂの状態においては、中心軸線Ａ１とＡ２は整合していない。
【００３８】
次いで、図５Ｂに示す状態から、内側機構部材１８を、回動軸線に直交する方向Ｂ（図５Ｂにおける上方向）に移動させる。これにより、図５Ｃに示すように、内側機構部材１８の側面突出部１８ｅが、外装部材１６の安全ボタン開口１６ｆの中に挿入されると共に、結合部１８ｄの中心軸線Ａ１と外装部材１６の中心軸線Ａ２が整合する。また、この移動により、外装部材１６の内壁面と、内側機構部材１８の外周面との間の、安全ボタン１４とは反対側の領域（図５Ｃにおける下側）に断熱用の隙間２４（図５Ｃ）が形成される。この状態で、外装部材１６の各丸穴１６ｇを介して、３本のビス２２を内側機構部材１８の雌ねじ穴１８ｆにねじ込むことにより、外装部材１６を内側機構部材１８に固定する。
【００３９】
次に、図２に示すように、安全ボタン１４を、その押圧部１４ａが内側機構部材１８の側面突出部１８ｅから突出するように、内側機構部材１８の中に配置する。さらに、安全ボタン１４のベース部１４ｂが、温度調整用ハンドル１０の半径方向外方に付勢されるように、板ばね２０を内側機構部材１８の中空の突起１８ｃ中の所定の箇所に配置する。
【００４０】
図６に示すように、温度調整用ハンドル１０が組み立てられた状態では、内側機構部材１８の結合部１８ｄの中心軸線Ａ１と、外装部材１６の中心軸線Ａ２が一致し、内側機構部材１８の中心軸線Ａ０は、外装部材１６の中心軸線Ａ２からずれた位置にある。これにより、外装部材１６の側面１６ａの内壁面と、内側機構部材１８の外筒部１８ａの外壁面の間には、少なくとも安全ボタン１４の反対側の領域で、断熱用の隙間２４が形成される。
【００４１】
最後に、このようにして組み立てられた温度調整用ハンドル１０を、壁面Ｗに埋め込まれた湯水混合水栓本体２から突出する、湯水混合ユニット４のスピンドル４ａの先端に取り付けることにより、湯水混合水栓装置１が完成される。
【００４２】
本発明の実施形態の湯水混合水栓装置１によれば、温度調整用ハンドル１０の外装部材１６の内側に、樹脂製の内側機構部材１８が取り付けられ、この内側機構部材１８に湯水混合ユニット４のスピンドル４ａが結合されるので（図２）、スピンドル４ａの熱が金属製の外装部材１６に直接伝わることがなく、外装部材１６の温度上昇を抑制することができる。これにより、温度調整用ハンドル１０を把持する使用者に、外装部材１６の過熱による不快感を与えることがなく、使い勝手の良い湯水混合水栓装置１を提供することができる。また、外装部材１６の内周面と、内側機構部材１８の外周面との間の、安全ボタン１４の反対側の領域に断熱用の隙間２４が設けられている（図２）。即ち、温度調整用ハンドル１０の組み立て時において、内側機構部材１８を外装部材１６の中に挿入（図５Ａ→図５Ｂ）した後、断熱用の隙間２４が形成されるように、内側機構部材１８を外装部材側面１６の安全ボタン開口１６ｆの方に移動（図５Ｃ）させ、安全ボタン開口１６ｆの内側に内側機構部材１８の側面突出部１８ｅを突出させる。これにより、外装部材１６には安全ボタン開口１６ｆを設けるだけで、安全ボタン開口１６ｆの内側に内側機構部材１８の側面突出部１８ｅを突出させることができ、外装部材１６に大きな切欠を設けることなく温度調整用ハンドル１０の側面に安全ボタン１４を設けることが可能になる。この結果、側面に安全ボタン１４を設けながら、デザイン性を損なうことのない温度調整用ハンドル１０を備えた湯水混合水栓装置１を提供することができる。
【００４３】
また、本実施形態の湯水混合水栓装置１によれば、外装部材１６と内側機構部材１８は、それらの中心軸線（Ａ２、Ａ０）がずれた状態で固定されるので（図６）、外装部材１６及び内側機構部材１８を略円筒形の単純な構造に形成しながら、外装部材１６と内側機構部材１８の間に断熱用の隙間２４を形成することができる。
【００４４】
さらに、本実施形態の湯水混合水栓装置１によれば、外側回転規制部である受入開口１６ｅと内側回転規制部である中空の突起１８ｃの係合により、外装部材１６の内側機構部材１８に対する回転が規制されるので、外装部材１６が内側機構部材１８に対して空回りして、スピンドル４ａが回動操作できなくなるのを防止することができる。
【００４５】
また、本実施形態の湯水混合水栓装置１によれば、内側回転規制部である中空の突起１８ｃの内部には、安全ボタン１４を付勢するための板ばね２０が収容されるので、安全ボタン付勢用の板ばね２０をコンパクトに収容することができ、十分な大きさの板ばね２０を採用しながら、温度調整用ハンドル１０を小型化することができる。
【００４６】
さらに、本実施形態の湯水混合水栓装置１によれば、湯水混合水栓本体２が壁面Ｗに埋め込まれているので、湯水混合水栓本体２表面の温度上昇を防止するために、湯水混合水栓本体の外周側に断熱用の通水路を設ける必要がなく、また、壁面Ｗから突出した湯水混合ユニット４のスピンドル４ａに断熱性のある温度調整用ハンドル１０が取り付けられているので、使い勝手の良いコンパクトな湯水混合水栓装置１を提供することができる。
【００４７】
以上、本発明の好ましい実施形態を説明したが、上述した実施形態に種々の変更を加えることができる。特に、上述した実施形態においては、吐水部としてシャワーヘッド８ａ及びスパウト８ｂを備えた湯水混合水栓装置に本発明を適用していたが、任意の吐水部を備えた湯水混合水栓装置に本発明を適用することができる。さらに、上述した実施形態においては、湯水混合ユニット４として、感温バネを使用したサーモバルブを使用していたが、湯と水を所定割合で混合する任意の装置を湯水混合ユニットとして使用することができる。また、上述した実施形態においては、安全ボタン１４は、温度調整用ハンドル１０の側面から半径方向外方に突出していたが、安全ボタン１４は温度調整用ハンドル１０の側面から露出していれば良く、安全ボタン１４の先端が外装部材の外壁面と面一、或いは外壁面よりも奥まっていても良い。
【符号の説明】
【００４８】
１    本発明の実施形態による湯水混合水栓装置
２    湯水混合水栓本体
４    湯水混合ユニット
４ａ  スピンドル（温調操作部）
６    開閉バルブ
８ａ  シャワーヘッド
８ｂ  スパウト
１０    温度調整用ハンドル
１２    吐出／停止ハンドル
１４    安全ボタン
１４ａ  押圧部
１４ｂ  ベース部
１６    外装部材
１６ａ  側面
１６ｂ  端面
１６ｃ  把持突起
１６ｄ  中央円形穴
１６ｅ  受入開口（外側回転規制部）
１６ｆ  安全ボタン開口
１６ｇ  丸穴
１８    内側機構部材
１８ａ  外筒部
１８ｂ  内筒部
１８ｃ  中空の突起（内側回転規制部）
１８ｄ  結合部
１８ｅ  側面突出部
１８ｆ  雌ねじ穴
２０    板ばね
２２    ビス
２４    断熱用の隙間
１００    回転ハンドル装置
１０２    湯水混合水栓本体
１０４    安全ボタン
１０６    把持部
１０８    断熱部品
１１０    切欠
【図１】
2018090956.tif 000003
【図２】
2018090956.tif 000004
【図３】
2018090956.tif 000005
【図４】
2018090956.tif 000006
【図５Ａ】
2018090956.tif 000007
【図５Ｂ】
2018090956.tif 000008
【図５Ｃ】
2018090956.tif 000009
【図６】
2018090956.tif 000010
【図７】
2018090956.tif 000011